(57)【要約】      （修正有）【課題】正面の鏡では、背中側の姿を見ることが出来ないので、上下左右に可動する鏡を背面に鏡を設けて希望する箇所を見ることが出来、また、移動可能にした電動上下左右回動合わせ鏡を提供する。【解決手段】超低速で動く二つのモータ８、９を使って、鏡４を上下左右に稼働するようにリモコンを操作して回動するようにした鏡駆動装置１を有し、前方の鏡に向かって、椅子に座った状態と立った状態でも背面を見ることが出来、後方の鏡４が上下左右にリモコンで回動することが出来るように、鏡駆動装置１を、ポール２を上下にスライドさせ摺動可能にして固定し、該ポールの台３にキャスター１３を取付けて、移動可能にして、希望する後方が見えるようにした。【選択図】図１
0003226159.tif 000002
【実用新案登録請求の範囲】
【請求項１】
Ｘ軸とＹ軸を超低速で動くモータをそれぞれ持ち、該モータの回転軸Ｘ軸は鏡が上下方向に、Ｙ軸は左右方向に超低速で所定範囲内を回動することを特徴としたリモコン操作による電動上下左右回動合わせ鏡。
【請求項２】
請求項１の合わせ鏡を上下に摺動するポールの下端は円板の中心部に固定し、該円板の下側には、移動可能なキャスターを持つことを特徴とした、電動上下左右回動合わせ鏡。
【請求項３】
請求項２のポールを伸縮自在にしたことを特徴とした電動上下左右回動合わせ鏡。
【考案の詳細な説明】
【技術分野】
【０００１】  本考案は、本考案者が取得した、実用新案登録第３２０１３１８号の実施例のための一例として考案したものであり、電動で上下左右に動く、移動可能な合わせ鏡に関する。
【背景技術】
【０００２】正面の鏡では、背中側の姿を見ることが出来ないので、上下左右に可動する鏡を背面に鏡を設けて希望する箇所を見ることが出来、また、移動可能にした合わせ鏡に関する。【０００３】前記背面に設けた合わせ鏡を、椅子に座った状態の場合と立って背面を見る場合があるので、該合わせ鏡を上下にスライド可能にし、リモコンで可動して見ることが可能な合わせ鏡に関する。
【考案の概要】
【考案が解決しようとする課題】
【０００４】従来のいわゆる合わせ鏡は、手で持って背面を見ていて、背面を見ることが出来ても両手が使えないので不便であることが欠点だった。【０００５】また、合わせ鏡を他人が持って背面を見ることが出来たが、一人の場合では不自由を感じる欠点があった。
【課題を解決するための手段】
【０００６】上記課題を解決するために、本考案では、超低速で動く二つのモータを使って、鏡を上下左右に稼働するようにリモコンを操作して回動するようにして、前方の鏡に向かって、椅子に座った状態と立った状態でも背面を見ることが出来るよう、また、前記後方の鏡が上下左右にリモコンで回動することが出来、ポールを上下にスライドさせ摺動可能にして固定し、該ポールの台にキャスターを取付けて、移動可能にし希望する後方が見えるようにした。【０００７】また、椅子に座った状態と立った状態でも背面を見ることが出来るよう、ポールを上下にスライドさせ摺動可能にして固定し、該ポールの台にキャスターを取付けて、移動可能にした。【０００８】前記超低速で動くモータは、Ｘ軸とＹ軸に位置しているので、上下左右に動くが、この回転の動きを鋭角に制限するようにしてある。【０００９】該上下左右はそれぞれストッパや位置制限する手段などを設けてある。
【考案の効果】
【００１０】以上のように、該合わせ鏡は、椅子に座った状態でも立った状態でも希望する背面部を容易にリモコン操作で見ることが出来た。【００１１】
【図面の簡単な説明】
【００１２】
【図１】は、本考案のキャスター付きの台のポールに取り付けた上下左右動く合わせ鏡全体を示す図である。
【００１３】
【図２】は，［図１］で本考案の可動鏡全体を示す図の可動部の拡大図を示すものである。
【００１４】
【図３】は、［図１］の可動部を横から見た拡大図を示すものである。
【００１５】
【図４】は、［図１］の平面図を示すものである。
【００１６】
【図５】は、本考案の可動部を横から見た図で、鏡が（ａ）は上方向に回転、（ｂ）は下方向回転して動く状態を示すものである。
【００１７】
【図６】は、本考案の可動部を上から見た図で、（ａ）は、右に回転、（ｂ）は左に回転する状態を示すものである。
【００１８】
【図７】は、［図１］から［６］まで図示していないリモートコントロールする、いわゆるリモコンをしめすもので、（ａ）は正面図、（ｂ）は側面図を示すものである。
【００１９】
【図８】は、椅子に座って使用する状態を示し、当該可動部を頭の後方に配置させた状態を示すものである。
【００２０】
【図９】は、立って使用する状態を示し、当該可動部を頭の後方に配置させた状態を示す。
【考案を実施するための形態】
【００２１】［図１］は、本考案の全体図１０を示し、キャスター１３と円板３から成る台の中心部孔２５にポール２のパイプを挿入して固定し、前記円板３の中心部には、ポール２が固定され、該ポール２の上部に摺動可能なパイプ固定金具１４がビス１４ａで固定され、該パイプ固定金具１４は、合わせ鏡本体１の背板６とＺ形金具１５がビス１５ａで固定されている。
【００２２】合わせ鏡本体１は、鏡面部４Ａと該鏡４の裏面部４Ｂからなる鏡４と該鏡４を上下方向に動かすＴ字形駆動体７が前記鏡４の裏面部４Ｂの円形板５と前記Ｔ字形駆動体の端部４５と固着している。
【００２３】鏡駆動装置全体１の構造について、横から見た拡大図を［図３］を見てさらに詳しく説明すると、鏡駆動装置１は、ポール２に摺動可能に、摺動金具１４とＺ形金具１５で背板６に固定支持されている。
【００２４】  鏡４の裏面４Ｂには取付け用円板５が貼着し、上下に駆動回転する駆動体７のＴ字形の平ら部分４５と固定されている。
【００２５】該上下に動く駆動体７の回転軸４０は、Ｘ軸を回転する、超低速モータ８が垂直支持板２７に回転可能に挟持され、該支持板２７には長孔３４が設けられ、前記駆動体７の側面部に突起２９を設け、前記長孔３４の範囲を摺動する。
【００２６】  前記垂直支持板２７の上端と下端部は上部円形状板２３と下部円形状板２４をねじで固着され、長方形を形成する。
【００２７】  該上下左右に駆動するものは、前記背板６の上部１６Ａと１６Ｂの凹部と係止され固定されている上部支持板２１と下部支持板２２に回転軸１８で回転可能に支持され、該支持板２１の裏面２１ａと支持板２２の上面２２ａには突起３１と３２が設けられ、図６に示す長孔３３の範囲を該突起３１と３２は摺動する。
【００２８】  上下駆動は、Ｘ軸を回転させるモータ８とＹ軸を回転させるモータ９でそれぞれ回転するが、左右方向は該Ｙ軸を回転させるモータの回転軸１９と上下に回転させるモータ８の回転軸４０で駆動させるが、左右方向に鏡４を動かすと前記背板６に前記モータ８の本体と当接し回動を阻止するので、、該背板６に切り欠き部１７を設けた。
【００２９】［図７］は、その他の図において、図示しなかった、リモートコントロール５０の一実施例を示すもので、蓄電池収納部５１、上下Ｒ方向に動かすレバー５２、左右方向に動かすレバー５３を持ち、コード５４はモータ８と接続し、コード５５はモータ９に接続されている。
【００３０】［図８］は人Ｗが床Ｆの椅子Ｃに座り、机Ｔの上方の壁にある前方の鏡Ｍに向かい、本考案である上下左右可動電動鏡１０を頭の後方に配置させて使用する状態を示すものである。
【００３１】［図９］は、人Ｗが前方壁にある鏡Ｍに向かって床Ｆに立って、本考案である上下左右電動鏡１０を頭の後方に配置させて使用する状態を示すものである。
【００３２】このように本考案が構成されているので、上下左右運動する前記超低速モータにより鏡４はゆっくりと回動するので、椅子に座った状態でも立った状態でも希望する後ろの箇所を見ることが出来た。
【符号の説明】
【００３３】１・・・・・上下左右駆動装置全体
２・・・・・ポール
３・・・・・円形台
４・・・・・鏡
５・・・・・取付け用円板
６・・・・・背板
７・・・・・Ｔ字形可動本体
８・・・・・Ｘ軸回転モータ
９・・・・・Ｙ軸回転モータ
１０・・・・本考案全体
１１・・・・ビス
１２・・・・ビス
１３・・・・キャスター
１４・・・・ポール取付け金具
１５・・・・Ｚ形取付け金具
１６Ａ、１６Ｂ・・・・凹部（溝）
１７・・・・切り欠き部
１８・・・・回転軸（上）
１９・・・・回転軸（下）
２０・・・・回転駆動部全体
２１・・・・上部支持板
２２・・・・下部支持板
２３・・・・上部円形回転板
２４・・・・下部円形回転体
２５・・・・中心部孔
２７・・・・突起
２８・・・・突起
２９・・・・駆動体側面突起
３０・・・・回転体全体
３１、３２・・・・・回転軸突起
３３・・・・長孔
３４・・・・垂直支持板長孔
３５・・・・水平支持板長孔
４０・・・・回転軸
５０・・・・リモコン全体
５１・・・・電池収納部
５２・・・・上下動操作レバー
５３・・・・左右動操作レバー
５４・・・・コード
５５・・・・コード
Ｃ・・・・・椅子
Ｆ・・・・・床
Ｍ・・・・・固定鏡
Ｔ・・・・・机
Ｗ・・・・・人
【図１】
0003226159.tif 000003
【図２】
0003226159.tif 000004
【図３】
0003226159.tif 000005
【図４】
0003226159.tif 000006
【図５】
0003226159.tif 000007
【図６】
0003226159.tif 000008
【図７】
0003226159.tif 000009
【図８】
0003226159.tif 000010
【図９】
0003226159.tif 000011